(57)【要約】【課題】快適な掛け心地を維持するとともに、形状の調整が容易で耳介の形状に万能的に一致させることが可能な眼鏡の先セル部を提供する。【解決手段】眼鏡の先セル部１は、前後方向に伸び眼鏡のテンプルが挿入される直線部１１と、直線部１１の後端から下斜め後方に伸び下部が下斜め前方を向くように湾曲するとともに、撓み変形方向Ｆの高さＨ２が直線部１１の上下方向の大きさＨ１よりも小さい塑性変形可能な湾曲部１２とを有する第１部材１０と、上端が直線部１１に、下端が湾曲部１２の下端にそれぞれ接続されるとともに、湾曲部１２の前方に所定の間隔をおいて配置される湾曲した接触部２１を有する弾性変形可能な第２部材２０とを備え、第２部材２０は、第１部材１０よりも柔軟性と伸縮性に優れた材料から構成され、湾曲部１２の塑性変形に伴って変形する。【選択図】図１
2008310062.tif 000002
【特許請求の範囲】
【請求項１】
前後方向に伸び眼鏡のテンプルが挿入される直線部と、当該直線部の後端から下斜め後方に伸び下部が下斜め前方を向くように湾曲するとともに、撓み変形方向の高さが前記直線部の上下方向の大きさよりも小さい塑性変形可能な湾曲部とを有する第１部材と、
上端が前記直線部に、下端が前記湾曲部の下端にそれぞれ接続されるとともに、前記湾曲部の前方に所定の間隔をおいて配置される湾曲した接触部を有する弾性変形可能な第２部材とを備え、
前記第２部材は、前記第１部材よりも柔軟性と伸縮性に優れた材料から構成され、前記湾曲部の塑性変形に伴って変形することを特徴とする眼鏡の先セル部。
【請求項２】
前記直線部は、前端面にテンプル挿入穴と、左右の側部のそれぞれに前記テンプル挿入穴に連通する少なくとも１つの貫通孔を備え、
前記接触部の上端は、前記直線部の左右の側部の少なくとも一部を覆うように接続する上部接続部であり、当該上部接続部の前記貫通孔に対応する位置には前記貫通孔に入り込んだ突起部が設けられ、
前記突起部の先端部は、前記テンプル挿入穴の内部に突出して前記テンプル挿入穴に挿入される前記テンプルを支持することを特徴とする請求項１に記載の眼鏡の先セル部。
【請求項３】
前記直線部は、前端面にテンプル挿入穴と、左右および下側の側部のそれぞれに前記テンプル挿入穴に連通する少なくとも１つの貫通孔を備え、
前記接触部の上端は、前記直線部の左右および下側の側部の少なくとも一部を覆うように接続する上部接続部であり、当該上部接続部の前記貫通孔に対応する位置には前記貫通孔に入り込んだ突起部が設けられ、
前記突起部の先端部は、前記テンプル挿入穴の内部に突出して前記テンプル挿入穴に挿入される前記テンプルを支持することを特徴とする請求項１に記載の眼鏡の先セル部。
【請求項４】
前記所定の間隔の最大値は、４．０〜４．５ｍｍであることを特徴とする請求項１から請求項３のいずれか１項に記載の眼鏡の先セル部。
【請求項５】
前記第１部材は、前記直線部の上下方向の大きさが４．０〜４．５ｍｍであり、前記湾曲部の撓み変形方向の高さが２．０〜２．５ｍｍであることを特徴とする請求項１から請求項４のいずれか１項に記載の眼鏡の先セル部。
【請求項６】
前記第１部材は、前記直線部の中心軸線と前記湾曲部の中心軸線とが前記第１部材内で交わることを特徴とする請求項１から請求項５のいずれか１項に記載の眼鏡の先セル部。
【発明の詳細な説明】
【技術分野】
【０００１】
本発明は、テンプルの先端に取り付けられる眼鏡の先セル部に関する。
【背景技術】
【０００２】
一般に、眼鏡の先セル部は、金属製のテンプルの一端に合成樹脂を被覆して形成されている。このような眼鏡の先セル部に使用される合成樹脂は比較的硬いため、眼鏡を掛けた際に耳介との接触部分に不要な圧力がかかって痛みなどが発生することがあった。
【０００３】
そこで、例えば、特許文献１には、テンプル端部から直線状に伸びる第１部分と、第１部分と結合し三日月形に湾曲した第２部分と、第２部分の前方に間隔を有して配置され一端が第１部分と他端が第２部分とそれぞれ接続された可撓性を有する第３部分とを備える眼鏡の先セル部が開示されている。
【０００４】
このような眼鏡の先セル部は、耳介と接触する第３部分がゴムや柔らかな弾性材料から構成され、眼鏡を掛けた際に耳介との接触部分が弾性的に変形するため、不要な圧力などがかからず、快適な掛け心地を得ることができる。
【特許文献１】特公平２−６１０１２号公報（第２図）
【発明の開示】
【発明が解決しようとする課題】
【０００５】
しかし、前記した眼鏡の先セル部は、第１部分および第２部分が、実質的に塑性変形できないプラスチックで構成されているため、例えば、手で曲げることによってその形状を調整することができず、あらかじめサイズの異なる眼鏡の先セル部を複数準備しておく必要があった。
【０００６】
そこで、本発明は、快適な掛け心地を維持するとともに、形状の調整が容易で耳介の形状に万能的に一致させることが可能な眼鏡の先セル部を提供することを目的とする。
【課題を解決するための手段】
【０００７】
前記目的を達成するため、本発明の眼鏡の先セル部は、前後方向に伸び眼鏡のテンプルが挿入される直線部と、当該直線部の後端から下斜め後方に伸び下部が下斜め前方を向くように湾曲するとともに、撓み変形方向の高さが前記直線部の上下方向の大きさよりも小さい塑性変形可能な湾曲部とを有する第１部材と、上端が前記直線部に、下端が前記湾曲部の下端にそれぞれ接続されるとともに、前記湾曲部の前方に所定の間隔をおいて配置される湾曲した接触部を有する弾性変形可能な第２部材とを備え、前記第２部材は、前記第１部材よりも柔軟性と伸縮性に優れた材料から構成され、前記湾曲部の塑性変形に伴って変形することを特徴とする。
【０００８】
このように構成された眼鏡の先セル部によれば、湾曲部の撓み変形方向の高さが、直線部の上下方向の大きさよりも小さいため、第１部材のうち、直線部を変形させず、湾曲部のみを塑性変形させることができる。これにより、湾曲部を手で曲げることで塑性変形させて形状を容易に調整することができ、耳介の形状に一致させることができる。なお、直線部は、後述するように、側面視において直線状に形成される。
【０００９】
さらに、接触部（第２部材）が、第１部材よりも柔軟性と伸縮性に優れた材料から構成され、湾曲部の塑性変形に伴って弾性変形するとともに、眼鏡を掛けた際にも弾性変形するため、快適な掛け心地を維持しつつ、耳介の形状に万能的に一致させることができる。
【００１０】
ここで、「柔軟性」に優れるとはヤング率が小さいことをいい、「伸縮性」に優れるとは弾性限度内での変形量が大きいことをいう。
【００１１】
また、本発明の眼鏡の先セル部は、前記直線部が前端面にテンプル挿入穴と左右の側部のそれぞれに前記テンプル挿入穴に連通する少なくとも１つの貫通孔を備え、前記接触部の上端が前記直線部の左右の側部の少なくとも一部を覆うように接続する上部接続部であり、当該上部接続部の前記貫通孔に対応する位置には前記貫通孔に入り込んだ突起部が設けられ、前記突起部の先端部が前記テンプル挿入穴の内部に突出して前記テンプル挿入穴に挿入される前記テンプルを支持することを特徴とする。
【００１２】
また、前記直線部が前端面にテンプル挿入穴と左右および下側の側部のそれぞれに前記テンプル挿入穴に連通する少なくとも１つの貫通孔を備え、前記接触部の上端が前記直線部の左右および下側の側部の少なくとも一部を覆うように接続する上部接続部であり、当該上部接続部の前記貫通孔に対応する位置には前記貫通孔に入り込んだ突起部が設けられ、前記突起部の先端部が前記テンプル挿入穴の内部に突出して前記テンプル挿入穴に挿入される前記テンプルを支持する構成としてもよい。
【００１３】
このように構成された眼鏡の先セル部によれば、柔軟性と伸縮性に優れた第２部材の一部である突起部の先端部がテンプル挿入穴の内部に突出しているため、テンプル挿入穴にテンプルを挿入した際に突起部の先端部が変形し、テンプルとテンプル挿入穴との間隙を埋めてテンプルを強固に支持することができる。
【００１４】
また、本発明の眼鏡の先セル部は、前記所定の間隔の最大値が、４．０〜４．５ｍｍであることを特徴とする。
【００１５】
ここで、「所定の間隔の最大値」とは、湾曲部と接触部との間隔（所定の間隔）のうち最も広い部分の間隔をいう。
【００１６】
このように構成された眼鏡の先セル部によれば、眼鏡を掛けた際に接触部が耳介に対して適度に弾性変形してクッション性が発揮されるため、快適な掛け心地を得ることができる。なお、所定の間隔の最大値が大きすぎると、特に湾曲部を後方側へ変形させた際に接触部が早々に伸びきってしまい、眼鏡を掛けたときに接触部が耳介に接触しても十分なクッション性を発揮することができなくなる。また、所定の間隔の最大値が小さすぎると、特に湾曲部を前方側へ変形させた際に接触部が湾曲部に接触してしまい、眼鏡を掛けたときに接触部が伸縮できなくなり、クッション性が失われる。
【００１７】
また、本発明の眼鏡の先セル部は、前記第１部材の直線部の上下方向の大きさが４．０〜４．５ｍｍであることが望ましく、湾曲部の撓み変形方向の高さが２．０〜２．５ｍｍであることが望ましい。
【００１８】
また、本発明の眼鏡の先セル部の第１部材は、前記直線部の中心軸線と前記湾曲部の中心軸線とが前記第１部材内で交わることを特徴とする。
【００１９】
このように構成された眼鏡の先セル部によれば、直線部の上下方向の大きさに対して湾曲部の撓み変形方向の高さを急激に小さくできるため、美観を損なうことなく、不可動部分（直線部）と可動部分（湾曲部）を形成することができる。
【発明の効果】
【００２０】
本発明の眼鏡の先セル部によれば、快適な掛け心地を維持するとともに、形状の調整が容易で耳介の形状に万能的に一致させることができる。
【発明を実施するための最良の形態】
【００２１】
次に、本発明の実施形態について、適宜図面を参照しながら詳細に説明する。参照する図面において、図１は眼鏡の先セル部を示す側面図であり、図２は眼鏡の先セル部を下から見た図である。ここで、以下の説明において方向は、眼鏡の先セル部（以下、単に先セル部という。）の使用時におけるユーザを基準にした方向で説明する。すなわち、図１において、紙面右側を「前」、左側を「後」とし、紙面垂直方向のうち奥側を「左」、手前側を「右」とする。なお、上下方向については、図１に示す方向と先セル部の使用時におけるユーザの方向が一致するので、そのまま「上」、「下」とする。
【００２２】
図１に示すように、先セル部１は、材質の異なる材料から構成された第１部材１０と、第２部材２０とを備えている。
【００２３】
第１部材１０は、直線部１１と湾曲部１２が一体に形成されて構成されている。
【００２４】
直線部１１は、側面視において前後方向に直線状に伸びるとともに、前端面に眼鏡のテンプル（図示せず）が挿入されるテンプル挿入穴１３が形成され、両側部の中央付近に凹部１４がそれぞれ形成されている（図１では一方のみ図示）。
【００２５】
湾曲部１２は、直線部１１の後端から下斜め後方に伸び下部が下斜め前方を向くように湾曲した形状で形成されている。
【００２６】
このような第１部材は、ビカット軟化温度９０℃以上、荷重たわみ温度８０℃以上、引張破壊応力３５ＭＰａ以上、引張破壊歪み３０％以上、曲げ強度５０ＭＰａ以上、曲げ弾性率１７００ＭＰａ以上、アイゾット衝撃強度１０Ｊ／ｍ以上、表面硬度（ロックウェル硬度）８０以上であることが望ましい。
【００２７】
具体例としては、ポリフェニレンエーテル樹脂（変性ＰＰＥ、変性ＰＰＯ（登録商標）。例えば、ノリル（登録商標）（日本ジーイープラスチック株式会社、グレード：７３１−７０１）など）、ＡＡＳ（ＡＳＡ）樹脂（アクリロニトリル・アクリルゴム・スチレン共重合樹脂）、ＡＳ樹脂（ＳＡＮ）（アクリロニトリル・スチレン共重合樹脂）、ＡＢＳ樹脂（アクリロニトリル・ブタジエン・スチレン共重合樹脂）、ＡＥＳ樹脂（アクリロニトリル・ＥＰＤＵ・スチレン共重合樹脂）、ＳＡＳ樹脂（シリコン・アクリロニトリル・スチレン共重合樹脂）、ＰＡ／ＡＢＳ樹脂、ＰＣ／ＡＢＳ樹脂、ＰＥＴ／ＡＢＳ樹脂、ＰＢＴ／ＡＢＳ樹脂、ＰＭＭＡ／ＡＢＳ／ＡＳ樹脂、ポリアセタール樹脂（ポリオキシメチレン（ＰＯＭ））、ポリアミド樹脂（６、６６、１１、１２、６１０）、ポリアリレート樹脂（芳香族ポリエステル樹脂）、液晶ポリマー（ＬＣＰ）、ポリエーテルエーテルケトン樹脂（ＰＥＥＫ）、ポリサルホン樹脂（ＰＳＵ）、ポリエーテルサルホン樹脂（ＰＥＳ）、ポリエチレンテレフタレート／ポリカーボネート樹脂（ＰＥＴ／ＰＣ）、ポリカーボネート樹脂、ポリスチレン樹脂（スチロール樹脂）、ＭＳ樹脂（メチルメタクリル・スチレン共重合樹脂）、ポリフェニレンサルファイド樹脂、ポリプロピレン樹脂（ＰＰ）、メタクリル樹脂（ＰＭＭＡ）、メチルペンテン樹脂、ポリアミドイミド樹脂、熱可塑性ポリイミド樹脂などが挙げられる。
【００２８】
第１部材１０は、湾曲部１２の撓み変形方向Ｆの高さＨ２が、直線部１１の上下方向の大きさＨ１よりも小さく形成されているため、基部となる直線部１１は変形せずに、湾曲部１２のみ変形可能となっている。湾曲部１２は、弾性変形可能であるとともに、所定量以上撓み変形させると若干量塑性変形可能である。そのため、湾曲部１２を手で曲げて塑性変形させることで、ユーザの耳介の形状に湾曲部１２の形状を調整することができる。なお、このような湾曲部１２の撓み変形方向Ｆの高さＨ２は２．０〜２．５ｍｍが望ましく、直線部１１の上下方向の大きさＨ１は４．０〜４．５ｍｍが望ましい。
【００２９】
また、第１部材１０は、直線部１１の前後方向に延びる中心軸線Ｌ１と湾曲部１２の長手方向に延びる中心軸線Ｌ２との交点Ｉが、第１部材１０内に存在するような形状、すなわち、直線部１１と湾曲部１２とが一定の角度を有する形状に形成されている。これによれば、中心軸線Ｌ１と中心軸線Ｌ２とが１本の線となるような形状に形成された先セル部（図示せず。例えば、特許文献１参照）と比較して、湾曲部１２の撓み変形方向Ｆの高さＨ２を直線部１１の上下方向の大きさＨ１に対して急激に小さくすることができる。このため、第１部材１０（先セル部１）の美観を損なうことなく、不可動部分（直線部１１）と可動部分（湾曲部１２）とを形成することができる。
【００３０】
さらに、第１部材１０（特に直線部１１）は、図２に示すように、頭部の形状に合わせて、前方から左側後方に向かって弧（頭部順応曲線Ｃ）を描くような形状に形成されている。
【００３１】
第２部材２０は、図１に示すように、接触部２１と、第１部材１０の直線部１１に接続される上部接続部２２と、第１部材１０の湾曲部１２の下端と接続される下部接続部２３とから構成されている。
【００３２】
接触部２１は、先セル部１の使用時においてユーザの耳介の後部と接触する部分であり、湾曲部１２の前方に所定の間隔をおいて配置されている。
【００３３】
上部接続部２２は、接触部２１の上端において、直線部１１の左右両側部および下側部を覆うような形状（前方から見て略Ｕ字形状。図４参照）に形成されている。なお、直線部１１との接続に関する具体的な構成については後述する。
【００３４】
下部接続部２３は、接触部２１の下端で後方に曲がり、さらに上方に反転して伸びている。この反転した部分は、後方側に幅広に形成されている。この下部接続部２３が湾曲部１２の下端部に被さることで第１部材１０と第２部材２０との下部が接続される。なお、この接続部分は下部接続部２３に対して湾曲部１２が回転しないように、例えば、溶融接着されていることが望ましい。
【００３５】
このような下部接続部２３は、先セル部１の使用時（眼鏡を掛けた際）においては、ユーザの耳介の付け根の後方下部付近に当接する。このとき、圧力のかかる点状で接触しないように一定の角度で外側（右側）に向かって反った形状に形成されている。具体的には、図２に示すように、前後方向に平行な直線Ｐに対して、角度θ（望ましくは１４〜１６度）で外側（右側）に反っている。なお、角度θは、第２部材２０を成形する際の角度であり、眼鏡を掛けた際には下部接続部２３の弾性変形によって可動するので若干変化する。
【００３６】
このような第２部材２０は、第１部材１０よりも柔軟性と伸縮性に優れた材料で構成されている。具体的には、荷重たわみ温度３０℃以上、軟化温度５０℃以上、引張破壊応力５〜５０ＭＰａ、引張破壊歪み４００〜９００％、引張弾性率５〜３０ＭＰａ、曲げ強度０．５〜３．０ＭＰａ、曲げ弾性率５〜５０ＭＰａ、表面硬度（Ａ硬度）５５〜１００であることが望ましい。
【００３７】
具体例としては、熱可塑性エラストマー（ポリアミド系、オレフィン系、スチレン系、ポリエステル系。例えば、ハイトレル（登録商標）（東レ・デュポン株式会社、グレード：ＳＢ７５４）など）、熱可塑性ポリウレタンエラストマー（ＴＰＵ）、アイオノマー樹脂（エチレン系アイオノマー樹脂）、ＥＥＡ樹脂（エチレン・アクリル酸エチル共重合体）、ポリアミド（ポリラウリルラクタム）、熱可塑性フッ素樹脂（ＴＨＶ、ＰＦＡ、ＰＶＤＰ、ＥＴＦＥ、ＬＭ−ＥＴＦＥ）、ポリエチレン（低密度ＰＥ、直鎖状低密度ＰＥ）、ポリブタジエン（ＰＢＤ）、エチレン・メタクリル酸共重合樹脂、スチレン系特殊透明樹脂、シラン架橋型ポリオレフィン樹脂、エチレン・酢酸ビニルコポリマー（ＥＶＡ）などが挙げられる。このような材料から構成されることにより、第２部材２０、特に接触部２１は弾性変形可能となっている。
【００３８】
次に、第１部材１０の直線部１１と第２部材２０の上部接続部２２との接続に関する構成について説明する。図３は図１のIII−III断面図であり、図４は図３のIV−IV断面図である。
【００３９】
図３および図４（ａ）に示すように、直線部１１には、凹部１４前方側の両側部のそれぞれに円形状の複数の貫通孔１５が形成され、下側部に長楕円形状の貫通孔１６が形成されている。これらの貫通孔１５，１６は、それぞれテンプル挿入穴１３に連通するように形成されている。また、凹部１４後方の両側部のそれぞれに円形状の複数の穴部１７が形成されている。
【００４０】
一方、上部接続部２２には、直線部１１の左右両側部および下側部を覆った際の貫通孔１５，１６および穴部１７のそれぞれに対応する位置に突起部２５，２６，２７がそれぞれ形成されている。そして、これら突起部２５，２６，２７が、それぞれ貫通孔１５，１６、穴部１７に入り込むことで、直線部１１と上部接続部２２とが接続される。
【００４１】
なお、このような第１部材１０と第２部材２０との接続は、先に第１部材１０を成形した後、第１部材１０を型内に配置して、第２部材２０をインサート成形することで得ることができる。すなわち、溶融した第２部材２０の材料が、貫通孔１５，１６および穴部１７に入ることで、突起部２５，２６，２７が形成される。また、これにより第２部材２０は、第１部材１０に強固に溶融接着される。
【００４２】
ここで、突起部２５，２６は、それぞれの先端部２５Ａ，２６Ａがテンプル挿入穴１３の内部に突出するように形成されている。このような状態で、図４（ｂ）に示すように、テンプル挿入穴１３にテンプル２が挿入されると、柔軟性と伸縮性に優れた材料で構成された第２部材２０の一部である先端部２５Ａ，２６Ａが弾性変形することとなる。
【００４３】
この弾性変形した先端部２５Ａ，２６Ａは、テンプル２とテンプル挿入穴１３との間隙を埋めるため、テンプル２を強固に支持することができる。
【００４４】
これにより、テンプル２に対して先セル部１を回転させることで、耳介の付け根の傾斜角度や頭部の形状に合致させる調整を容易に行うことができる。また、テンプル２に対して先セル部１を前後方向に移動させることで、テンプル２の長さの調整を容易に行うことができる。
【００４５】
なお、従来の先セル部（図示せず）は、テンプル挿入穴が単純な穴部として形成されているため、テンプル２を繰り返し回転させたり、抜き差し（前後方向に移動）したりすると穴部の側壁が磨耗して広がり、先セル部（図示せず）がテンプル２から抜けやすくなってしまうという問題があった。しかし、本発明の先セル部１によれば、柔軟性と伸縮性に優れた材料で構成された先端部２５Ａ，２６Ａが弾性変形してテンプル２とテンプル挿入穴１３との間隙を埋めるため、テンプル２を繰り返し回転させたり、抜き差ししたりしてもテンプル２が抜けやすくなることがない。
【００４６】
次に、以上のように構成された先セル部１の動作について説明する。図５は調整時における湾曲部および接触部の変形を説明する側面図であり、図６は使用時における接触部の変形を説明する側面図である。
【００４７】
まず、先セル部１は、ユーザの耳介の形状に応じて適宜その形状（湾曲形状）を調整する必要がある。このとき、第１部材１０は、前記したように、湾曲部１２の撓み変形方向Ｆの高さＨ２が、直線部１１の上下方向の大きさＨ１よりも小さく形成されているため、基部となる直線部１１は変形せずに、湾曲部１２のみ塑性変形可能となっている（図１参照）。
【００４８】
そして、ユーザの耳介の形状が、図５の実線で示す湾曲部１２の湾曲形状より大きい場合は、図５のＡ１で示すように、湾曲部１２を手で曲げることによって後方側（矢印Ｂ１方向）へ塑性変形させる。このとき、接触部２１は、湾曲部１２に伴って弾性変形し、接触部２１の湾曲が緩やかになる。
【００４９】
また、ユーザの耳介の形状が、図５の実線で示す湾曲部１２の湾曲形状より小さい場合は、図５のＡ２で示すように、湾曲部１２を手で曲げることによって前方側（矢印Ｂ２方向）へ塑性変形させる。このとき、接触部２１は、湾曲部１２に伴って弾性変形し、接触部２１の湾曲が急になる。
【００５０】
ここで、湾曲部１２と接触部２１との所定の間隔の最大値Ｄ（図１参照）は４．０〜４．５ｍｍであることが望ましい。これによれば、眼鏡を掛けた際に接触部２１が耳介に対して適度に弾性変形してクッション性が発揮されるため、快適な掛け心地を得ることができる。
【００５１】
所定の間隔の最大値Ｄが大きすぎると、特に湾曲部１２を後方側（図５のＡ１参照）へ変形させた際に接触部２１が早々に伸びきってしまい、眼鏡を掛けたときに接触部２１が耳介に接触しても十分なクッション性を発揮することができなくなる。また、所定の間隔の最大値Ｄが小さすぎると、特に湾曲部１２を前方側（図５のＡ２参照）へ変形させた際に接触部２１が湾曲部１２に接触してしまい、眼鏡を掛けたときに接触部２１が伸縮できなくなり、接触部２１のクッション性が失われる。
【００５２】
なお、湾曲部１２は、前後方向（図５に示す矢印Ｂ１，Ｂ２方向）の塑性変形に限定されず、左右方向（ユーザの頭部に近づいたり遠ざかったりする方向）にも塑性変形させることができる（図示せず）。また、湾曲部１２は長手方向の途中から塑性変形させることもでき、例えば、湾曲部１２の長手方向中央部で前方に折り曲げて角度をつけ、湾曲部１２を略く字形状とすることもできる（図示せず）。このように先セル部１の湾曲部１２は、あらゆる方向に対して、また、あらゆる位置（長手方向）において塑性変形させることが可能となっている。
【００５３】
このように先セル部１の形状の調整が完了したら、テンプル２をテンプル挿入穴１３に挿入する（なお、テンプル２の挿入は先セル部１の形状の調整前に行ってもよい）。そして、テンプル２に対して先セル部１を回転させることで耳介の付け根の傾斜角度や頭部の形状に合致させる調整を行い、さらに、テンプル２に対して先セル部１を前後方向に移動させることでテンプル２の長さの調整を行う。
【００５４】
以上のように調整された先セル部１をユーザが装着する（眼鏡を掛ける）と、図６の鎖線で示すように、接触部２１にユーザの耳介が接触し、接触部２１が弾性変形してユーザの耳介の形状に一致する。
【００５５】
以上のように構成された本実施形態の先セル部１によれば、手で曲げることによって湾曲部１２を塑性変形させて形状を調整することができるとともに、眼鏡を掛けた際に接触部２１が耳介の形状に一致するように弾性変形するため、形状の調整が容易で耳介の形状に万能的に一致させることが可能となる。また、眼鏡を掛けた際に柔軟性と伸縮性に優れた材料から構成された接触部２１が弾性変形するため、ユーザの耳介や耳骨突起に不要な圧力がかからず、快適な掛け心地を得ることができる。
【００５６】
なお、以上において図面を参照しながら説明した先セル部１は、ユーザの頭部右側に装着される先セル部である。ユーザの頭部左側に装着される先セル部（図示せず）は、先セル部１に対して左右対称の形状で形成される。
【００５７】
以上、本発明の実施形態について説明したが、本発明は前記した実施形態に限定されるものではない。具体的な構成については、本発明の趣旨を逸脱しない範囲で適宜変更が可能である。
【００５８】
前記した実施形態では、直線部１１の下側部に長楕円形状の貫通孔１６を設け、長楕円形状の突起部２６が入り込んだ構成を示したが、これに限定されず、例えば、左右両側部と同様に、円形状の複数の貫通孔を設け、円形状の突起部が入り込む構成としてもよい。逆に、直線部１１の左右両側部に長楕円形状の貫通孔を設け、長楕円形状の突起部が入り込む構成としてもよい。なお、貫通孔の形状は円形、長楕円形に限定されるものではない。また、貫通孔を複数設ける場合の数も前記した実施形態の構成に限定されるものではない。
【００５９】
前記した実施形態では、直線部１１の左右両側部および下側部に貫通孔１５，１６を設け、突起部２５，２６が入り込んだ構成を示したが、これに限定されず、例えば、左右両側部にのみ貫通孔を設け、突起部が入り込む構成としてもよい。この場合、上部接続部は、少なくとも直線部の左右両側部を覆うような形状に形成されていればよい。
【００６０】
前記した実施形態では、先に第１部材１０を成形した後、第１部材１０を型内に配置して、第２部材２０をインサート成形する方法を例示したが、これに限定されず、例えば、第１部材と第２部材を個別に成形してもよい。この場合、湾曲部の下端と下部接続部との接続部分、および、突起部と貫通孔（または穴部）との接触部分は、接着剤などで固着することが望ましい。
【図面の簡単な説明】
【００６１】
【図１】本発明の実施形態に係る眼鏡の先セル部を示す側面図である。
【図２】本発明の実施形態に係る眼鏡の先セル部を下から見た図である。
【図３】図１のIII−III断面図である。
【図４】図３のIV−IV断面図である。
【図５】調整時における湾曲部および接触部の変形を説明する側面図である。
【図６】使用時における接触部の変形を説明する側面図である。
【符号の説明】
【００６２】
１      先セル部
２      テンプル
１０    第１部材
１１    直線部
１２    湾曲部
１３    テンプル挿入穴
１５，１６  貫通孔
２０    第２部材
２１    接触部
２２    上部接続部
２５，２６  突起部
２５Ａ，２６Ａ  先端部
Ｄ      所定の間隔の最大値
Ｆ      撓み変形方向
Ｈ１    上下方向の大きさ
Ｈ２    撓み変形方向の高さ
Ｉ      交点
Ｌ１    直線部の中心軸線
Ｌ２    湾曲部の中心軸線
【図１】
2008310062.tif 000003
【図２】
2008310062.tif 000004
【図３】
2008310062.tif 000005
【図４】
2008310062.tif 000006
【図５】
2008310062.tif 000007
【図６】
2008310062.tif 000008